(57)【要約】【課題】足場の上下の段で各種の足場用部材を手作業で移動する際に、その足場用部材を落下させることがない落下防止具を提供する。【解決手段】足場用落下防止具１０は、作業者Ｍに付けられる安全帯に対して着脱自在に掛け止められるリング１２と、リング１２に一端が連結された一対のランヤード１４、１６と、各ランヤードの他端には、フック開口とフック開口を開閉するとともに、フック開口を閉方向に付勢されている揺動アームを有するフック１８Ａ、１８Ｂとを備える。フック１８Ａは、足場１００に固定された部材である横架材１１０に着脱自在に掛止されるものであり、他の１つのフック１８Ｂは、足場で使用する部材である組立前の支柱１０４に着脱自在に掛け止めてその部材の落下を防止する。【選択図】図４
2019208626.tif 000002
【特許請求の範囲】
【請求項１】
作業者に付けられる安全帯に対して着脱自在に掛け止められる被掛止部と、
前記被掛止部に一端が連結された複数のランヤードと、
各ランヤードの他端には、フック開口と前記フック開口を開閉するとともに、前記フック開口を閉方向に付勢されている揺動アームを備えるフックとを備え、
前記複数のランヤードにそれぞれ設けられた前記フックのうち、１つのランヤードのフックは、足場に固定された部材に着脱自在に掛止されるものであり、
前記複数のランヤードにそれぞれ設けられた前記フックのうち、少なくとも他の１つのフックは、足場で使用する部材に着脱自在に掛け止めてその部材の落下を防止するものである落下防止具。
【請求項２】
前記ランヤードと前記フックの合計長さは、前記安全帯に対して前記被掛止部で掛け止められた際に、前記作業者が載る足場の踏板に接触しない長さを有する請求項１に記載の落下防止具。
【請求項３】
前記複数のランヤードの長さは、相互に同じ長さである請求項１または請求項２に記載の落下防止具。
【請求項４】
前記ランヤードを２個または３個備えている請求項１乃至請求項３のうちいずれか１項に記載の落下防止具。
【請求項５】
前記フックには、前記揺動アームによるフック開口の閉鎖状態をロックするロック機構を備える請求項１乃至請求項４のうちいずれか１項に記載の落下防止具。
【発明の詳細な説明】
【技術分野】
【０００１】
本発明は、足場用落下防止具に関する。
【背景技術】
【０００２】
建設工事等での高所作業においては、作業者の転落等の労働災害を防止するため、作業者は安全帯を付けて、足場に設けられた手摺等の設備に安全帯のランヤードをフックを介して取付けた状態で作業を行うようにしている（特許文献１参照）。このように作業者は足場から転落等が生じないように安全帯により守られている。
【先行技術文献】
【特許文献】
【０００３】
【特許文献１】特開２０１７−８５１６号公報、図１
【発明の概要】
【発明が解決しようとする課題】
【０００４】
ところで、足場の構築のために、作業者は、下段にいる他の作業者が上段を構築するに必要な足場用部材を上段の足場にいる作業者が持ち上げて当該足場用部材を上段へ移動させている。ところが、上段の足場にいる作業者が、その足場用部材を把持する際に、何らかの理由により、把持しきれなかった場合、その足場用部材を落下させてしまう虞があった。また、足場の解体の場合にも、上段を構築していた足場の足場用部材を下段の足場へ下ろす作業を手作業で行う場合は、同様に該足場用部材を誤って落下させる虞がある。
【０００５】
また、建築工事現場では、落下物による危害を防止するために高さ１０ｍ以上の作業所周囲の防護措置として、図８に示すように足場２００に防護柵（朝顔）２１０を１段以上設けることとなっている（昭和４２年１１月２０日建設省通達）。すなわち、防護柵２１０は、一段目を地上１０ｍ以下に設け、２段目以上は下の段から１０ｍ以下毎に設けることとなっている。
【０００６】
そして、通達によれば防護柵２１０の足場１００の骨組からは、Ｌ＝２ｍ以上に水平に突出させることとなっているが、一般的には、Ｌを２ｍを若干超える程度となるように防護柵２１０を施工していることが多い。防護柵２１０は、鋼板等からなる受け板２１２が隙間なく設けられている。
【０００７】
ところで、足場用部材としての足場の支柱は、長いものでは、３ｍ９０ｃｍのものがある。このような長尺のものを防護柵２１０の上方の高い足場から誤って落下させた場合、一般的に物は放物線を描いて落ちることから、軌跡Ａで示すように防護柵２１０を超えて落下してしまう場合がある。
【０００８】
また、前記長尺の支柱が防護柵２１０に当たった場合であっても、受け板２１２に当たったときバウンドして、軌跡Ｂに示すように、防護柵２１０を超えてさらに下方へ落下する場合もある。このため、防護柵２１０が設けられていたとしても、落下物の防止を行えない可能性が非常に高い。
【０００９】
本発明の目的は、上記課題を解決して、足場の上下の段で各種の足場用部材を手作業で移動する際に、その足場用部材を落下させることがない落下防止具を提供することにある。
【課題を解決するための手段】
【００１０】
上記問題点を解決するために、本発明の足場用落下防止具は、作業者に付けられる安全帯に対して着脱自在に掛け止められる被掛止部と、前記被掛止部に一端が連結された複数のランヤードと、各ランヤードの他端には、フック開口と前記フック開口を開閉するとともに、前記フック開口を閉方向に付勢されている揺動アームを備えるフックとを備え、前記複数のランヤードにそれぞれ設けられた前記フックのうち、１つのランヤードのフックは、足場に固定された部材に着脱自在に掛止されるものであり、前記複数のランヤードにそれぞれ設けられた前記フックのうち、少なくとも他の１つのフックは、足場で使用する部材に着脱自在に掛け止めてその部材の落下を防止するものである。
【００１１】
また、前記ランヤードと前記フックの合計長さは、前記安全帯に対して前記被掛止部で掛け止められた際に、前記作業者が載る足場の踏板に接触しない長さを有することが好ましい。
【００１２】
また、前記複数のランヤードの長さは、相互に同じ長さとしてもよい。
また、前記ランヤードを２個または３個備えていてもよい。
また、前記フックには、前記揺動アームによるフック開口の閉鎖状態をロックするロック機構を備えることが好ましい。
【発明の効果】
【００１３】
本発明によれば、足場の上下の段で各種の足場用部材を手作業で移動する際に、その足場用部材を落下させることがない効果を奏する。
【図面の簡単な説明】
【００１４】
【図１】（ａ）は第１実施形態の足場用落下防止具の平面図、（ｂ）はフックの拡大平面図。
【図２】第１実施形態の足場用落下防止具の使用状態の俯瞰説明図。
【図３】第１実施形態の足場用落下防止具の使用状態の拡大説明図。
【図４】第１実施形態の足場用落下防止具の使用状態の正面説明図。
【図５】第２実施形態の足場用落下防止具の平面図。
【図６】（ａ）及び（ｂ）は、第２実施形態の足場用落下防止具の使用状態の説明図。
【図７】第２実施形態の足場用落下防止具の使用状態の説明図。
【図８】防護棚（朝顔）が設けられた味波の説明図。
【発明を実施するための形態】
【００１５】
（第１実施形態）
以下、本発明を具体化した第１実施形態の足場用落下防止具を図１〜図４を参照して説明する。
【００１６】
図１（ａ）に示すように、足場用落下防止具１０は、被掛止部としてのリング１２、リング１２に連結された一対のランヤード１４、１６、及びランヤード１４、１６の先端に連結されたフック１８Ａ、１８Ｂを備えている。リング１２は金属製であって、作業者の腰に付けられた図示しない安全帯に設けられた鉤部材（図示しない）に着脱自在に掛け止め可能となっている。
【００１７】
ランヤード１４、１６は、可撓性を有する部材（例えばロープ、チェーン、或いはワイヤー等）からなり、相互に同じ長さを有している。また、リング１２が作業者が付けた安全帯の鉤部材に対して掛け止められたとき、作業者が踏む足場の踏板（図示しない）に対してフック１８Ａ、１８Ｂが接触しないようにランヤード１４、１６とフック１８Ａ、１８Ｂのそれぞれの合計長さ（以下、単に合計長さという）が設定されている。すなわち、前記のように足場用落下防止具１０が安全帯の鉤部材に掛け止められた状態で垂れ下がったとき、前記合計長さは作業者が踏む足場を引きずらない長さ、すなわち、接触しない長さに設定されている。
【００１８】
「ＡＩＳＴ（国立研究開発法人産業技術総合研究所）人体寸法・形状データベース１９９１−９２」によれば、日本人の成人男子の臍高は、平均値で約１ｍ、最小値は８６．１ｃｍとされている。
【００１９】
この最小値を基準にして、安全帯（ベルト）がこの臍高と略同一高さ、または、若干低いウエストに取付けられること、及び足場の踏板（図示しない）に対してフック１８Ａ、１８Ｂが接触しない条件を満足するためには、安全帯の取付時のウエストに対する遊びを考慮して前記合計長さは８０ｃｍ以下が好ましい。
【００２０】
本実施形態では、前記合計長さは、６０ｃｍとしている。６０ｃｍ以内とした場合、腰から吊下げた状態のフックを作業者は取りやすくでき、足場用落下防止具１０を使用する際の取り扱いの作業性が向上する。
【００２１】
図１（ｂ）に示すようにフック１８Ａ、１８Ｂは、金属製のフック本体２２、その基端に一体に設けられるとともにランヤード１４、１６が連結された環状部２４、及びフック本体２２のフック開口２１を開閉する金属製の揺動アーム２６を備えている。
【００２２】
フック本体２２は、基端から直線状に延びる延出部２２ａと、延出部２２ａから基端側に湾曲した湾曲部２２ｂと、湾曲部２２ｂから延出部２２ａと相対するように延びたフック爪２２ｃを有していて、全体がＪ字状に形成されている。
【００２３】
揺動アーム２６は、基端及び先端を除いた部分が、底板及び底板の両側部から直角に折曲げ形成された一対の側板により断面コ字状に形成されている。揺動アーム２６の基端は、前記一対の側板が延出されているとともに両側板がフック本体２２の基端の一部を遊挿した状態で軸２７によりフック本体２２の基端に対して揺動自在に支持されている。
【００２４】
揺動アーム２６は、軸２７に巻装された図示しないスプリングにより、フック開口２１の内側から外側に向けて閉鎖方向へ常時付勢されている。揺動アーム２６の先端は、前記一対の側板が延出されているとともに両側板間に係止部２６ａが架設されている。揺動アーム２６は、前記軸２７に巻装された図示しないスプリングの付勢力により、係止部２６ａをフック本体２２のフック爪２２ｃの先端に当接可能としている。
【００２５】
揺動アーム２６の基端の両側板には、係合爪２８が設けられている。係合爪２８は、フック本体２２において、延出部２２ａ側に向けて延出されている。
また、フック本体２２において、延出部２２ａの基端側にはロック部材３０が設けられている。ロック部材３０は、底板及び底板の両側部から直角に折曲げ形成された一対の側板により断面コ字状に形成されている。ロック部材３０は、フック本体２２の延出部２２ａの一部を遊挿した状態で、延出部２２ａに対して軸２９によりその長手方向の中央部が揺動自在に支持されている。
【００２６】
ロック部材３０の基端の両側板間には、ロックピン３１が架設されている。ロック部材３０は、軸２９に巻装された図示しないスプリングにより、その基端が揺動アーム２６の係合爪２８に向けて回動付勢され、かつ、ロックピン３１が、延出部２２ａに当接されている。
【００２７】
そして、ロック部材３０は、ロックピン３１が係合爪２８に係合している状態では、揺動アーム２６をロックして、図１（ｂ）に示すように係止部２６ａをフック爪２２ｃに係止させて、揺動アーム２６によるフック開口２１の閉鎖状態をロックする。係合爪２８、軸２９、ロック部材３０、及びロックピン３１とにより、ロック機構Ｒが構成されている。
【００２８】
また、ロック部材３０が揺動アーム２６をロックしている状態から、ロック部材３０の先端側が延出部２２ａ側に揺動操作されると、ロックピン３１が係合爪２８との係合が解除される。このロックピン３１の係合爪２８に対する係合が解除されると、すなわちロック解除されると、揺動アーム２６は、軸２７に巻装されたスプリングの付勢力に抗して、フック開口２１を開口する開方向に揺動操作可能となっている。
【００２９】
従って、フック１８Ａ、１８Ｂを操作する場合、作業者が揺動アーム２６とロック部材３０を手の中に入れた状態で、両者を握りしめると、フック開口２１が開放される。すなわち、揺動アーム２６とロック部材３０とが握りしめられると、ロック部材３０が軸２９に巻装された図示しないスプリングに抗して揺動されることにより、ロックピン３１と係合爪２８との係合が解除される。そして、この解除された後、握りしめ操作により揺動アーム２６が開方向に揺動されて、係止部２６ａがフック爪２２ｃから離反することにより、フック開口２１が開放される。
【００３０】
前記フック開口２１が開放されると、フック開口２１内に対する後述する足場用部材の係入及び離脱が可能となっている。また、作業者が揺動アーム２６とロック部材３０を手から離すと、揺動アーム２６は、軸２７に巻装された図示しないスプリングにより揺動されて係止部２６ａをフック本体２２のフック爪２２ｃの先端に当接させて、フック開口２１を閉鎖する。
【００３１】
また、ロック部材３０は、軸２９に巻装された図示しないスプリングの付勢により、その基端が揺動アーム２６の係合爪２８へ向けて回動され、ロックピン３１が係合爪２８に係合することにより揺動アーム２６をロックする。
【００３２】
（第１実施形態の作用）
図２〜図４を参照して上記のように構成された足場用落下防止具１０の作用について説明する。
【００３３】
図２は足場１００の一例が示されている。同図に示すように足場１００は、建物側及び反建物側に立てられた複数の支柱１０２、１０４と、支柱１０２、１０４のコマ間に架設された横架材１０６と、支柱１０２、１０２のコマ間、支柱１０４、１０４のコマ間にそれぞれ水平に架設された横架材（手摺）１０８、１１０と、横架材１０６間に掛けられた踏板１１２等にて構築される。なお、支柱１０２、１０２または支柱１０４、１０４のコマ間では、図示はしない斜材が架設される場合もある。なお、コマには、貫通した係合孔を有する。
【００３４】
図２〜図４に示すように、複数段（階）の足場を構築する場合、下段の足場にいる作業者（図示しない）は、上段の足場にいる作業者Ｍに対して、足場を構築するのに必要な足場用部材を手で持ち上げて手渡しする。なお、作業者Ｍは、自身に装着した安全帯５０のランヤード５２を横架材（手摺）１０８に対してフック部材５４を介して取付けており、足場上の横移動を可能としている。すなわち、フック部材５４は、横架材（手摺）１０８に沿って摺動自在であり、このため、作業者Ｍは、ランヤード５２の長さの範囲とフック部材５４の横架材（手摺）１０８が許容する摺動範囲において移動可能である。安全帯５０に付けられるランヤード５２は、１７０ｃｍ程度と長くされていることが一般的である。このため、足場から降りた作業者は、ランヤード５２を使用しない場合、この長いランヤード５２が地面を引きずらないように、安全帯５０に設けられた袋の中に収納することが多い。
【００３５】
図２〜図４では、足場で使用する足場用部材としての支柱１０４を、下段の作業者（図示しない）が持ち上げて、上段の作業者Ｍに手渡しする例として図示されている。
この場合、上段にいる作業者Ｍは、足場用落下防止具１０の一方のランヤード１４のフック１８Ａを予め横架材（手摺）１１０に係合しておく。この状態で、下段から持ち上げられた支柱１０４を手で掴み、足場用落下防止具１０の他方のランヤード１４のフック１８Ｂを、支柱１０４のコマ１０４ａの前記係合孔に係合する。この場合、持ち上げられてきた状態の支柱１０４において、最上部に位置するコマ１０４ａに対してフック１８Ａを掛けることが好ましい。この状態から、図２〜図４に示すように、支柱１０４を持ち上げた後、上下に反転して、構築されている足場１００において、下段から延びている他の支柱１０４上端の連結部１０４ｂに対して嵌合して連結する。支柱１０４の連結作業が終了した後、作業者Ｍは足場用落下防止具１０のフック１８Ａ、１８Ｂを横架材（手摺）１１０及び支柱１０４のコマ１０４ａから取外す。
【００３６】
取外した後の足場用落下防止具１０は、安全帯５０に設けられた鉤部材にリング１２を掛け止めする。このように足場用落下防止具１０は、安全帯５０に対してリング１２を介して掛け止めされて垂れ下がっても、ランヤード１４、１６のフック１８Ａ、１８Ｂの合計長は、作業者Ｍが踏む足場を引きずらない長さに設定されていることから、作業者Ｍが踏む足場の踏板１１２を引きずることがない。
【００３７】
また、下段から持ち上げられてきた支柱１０４は上段の横架材（手摺）１１０に予め連結され足場用落下防止具１０に連結される。このため、足場用落下防止具１０を支柱１０４に連結した後に、作業者Ｍが支柱１０４を取り落としても、支柱１０４は足場用落下防止具１０を介して横架材（手摺）１１０から吊下げることができるとともに、吊下げ状態を超える落下が防止される。
【００３８】
また、ランヤード１４、１６の長さは、相互に同じ長さにしているため、ランヤード１４、１６を異なる長さにした場合に比して、ランヤードを共通とすることができ製造コストを下げることができる。
【００３９】
本実施形態では、下記の特徴を有する。
（１）本実施形態の足場用落下防止具１０は、作業者Ｍに付けられる安全帯５０に対して着脱自在に掛け止められるリング１２（被掛止部）と、リング１２に一端が連結された一対のランヤード１４、１６を備えている。また、各ランヤードの他端には、フック開口２１とフック開口２１を開閉するとともに、フック開口２１を閉方向に付勢されている揺動アーム２６を有するフック１８Ａ、１８Ｂとを備えている。また、フック１８Ａは、足場１００に固定された部材である。横架材（手摺）１１０に着脱自在に掛止されるものであり、他の１つのフック１８Ｂは、足場１００で使用する部材である組立前の支柱１０４に着脱自在に掛け止めてその部材の落下を防止する。
【００４０】
この結果、本実施形態によれば、足場の上下の段で各種の足場用部材を手作業で移動する際に、その足場用部材を落下させることがない。
（２）本実施形態の足場用落下防止具１０では、ランヤード１４、１６とフック１８Ａ、１８Ｂの合計長さが、安全帯５０に対してリング１２（被掛止部）で掛け止められた際に、作業者Ｍが載る足場の踏板１１２に接触しない長さを有する。
【００４１】
従って、作業者Ｍが、足場用落下防止具１０を安全帯５０に対してリング１２（被掛止部）で掛け止められた際に、引きずることがない。
（３）本実施形態の足場用落下防止具１０では、ランヤード１４、１６の長さは、相互に同じ長さとしている。この結果、ランヤード１４、１６の長さは、相互に同じ長さにしているため、ランヤード１４、１６を異なる長さにした場合に比して、ランヤードを共通とすることができ製造コストを下げることができる。
【００４２】
（４）本実施形態の足場用落下防止具１０では、フック１８Ａ、１８Ｂには、揺動アーム２６のフック開口２１の閉鎖状態をロックするロック機構Ｒを備えている。この結果、本実施形態によれば、フック１８Ａ、１８Ｂをそれぞれ横架材（手摺）１１０、及び支柱１０４に連結した際に、フック１８Ａ、１８Ｂが、横架材（手摺）１１０、及び支柱１０４から外れることがない。
【００４３】
（第２実施形態）
次に第２実施形態の足場用落下防止具１０を図５〜図７を参照して説明する。なお、第１実施形態と同一構成、及び相当する構成については、同一符号を付して異なる構成について説明する。
【００４４】
本実施形態の足場用落下防止具１０は、第１実施形態の足場用落下防止具１０の構成に加えて、さらに、リング１２に対して、ランヤード１４と同一構成のランヤード１７が連結されるとともに、フック１８Ａと同一構成のフック１８Ｃが設けられている。すなわち、ランヤード１７及びフック１８Ｃは、ランヤード１４及びフック１８Ａと大きさ（長さを含む）も同じである。
【００４５】
（第２実施形態の作用）
上記のように構成された第２実施形態の足場用落下防止具１０の使用方法を図６（ａ）、図６（ｂ）及び図７を参照して、足場で使用する足場用部材としての支柱１０４を、地面から最上段の作業者Ｍに渡す場合を例として説明する。
【００４６】
なお、これらの図では、建物１３０に対して足場１００は、壁つなぎ材１２８にて連結されているとともに、足場１００を構築する支柱１０２、１０４及び踏板１１２は簡略して図示されている。
【００４７】
図６（ａ）、図６（ｂ）及び図７に示すように、足場１００の最上段の支柱１０４には、電動モータで駆動される巻上機１２２が、張り出しブラケット１２０の先端に支持されている。
【００４８】
図６（ａ）では、地面にいる作業者（図示しない）により、吊上げする支柱１０４の最上に位置するコマ１０４ａに対して、フック１８Ｂを掛けるとともに、巻上機１２２のロープ１２４の下端の鉤１２６には、フック１８Ｃを掛ける。
【００４９】
図６（ｂ）に示すように、この状態で、巻上機１２２を電動モータで駆動して、足場１００の最上段まで、支柱１０４を吊上げる。足場１００の最上段まで支柱１０４を吊上げた後、足場１００の最上段にいる作業者Ｍは、使用していなかったフック１８Ａを横架材（手摺）１１０に掛ける。
【００５０】
図７に示すように、この後、作業者Ｍは、鉤１２６に掛けられていたフック１８Ｃを外す。この後、作業者Ｍは支柱１０４を手で把持した後、持ち上げし、これ以降は第１実施形態と同様に作業を行えばよい。
【００５１】
本実施形態では、下記の特徴を有する。
（１）本実施形態の足場用落下防止具１０では、フックを有するランヤードを３つ備えている構成とした。この結果、足場で使用する部材を巻上機で巻上げする場合には、足場で使用する足場用部材用、巻上機の鉤１２６用、及び足場に固定されている部材用にそれぞれ個別にランヤードのフックを掛けることができる。このため、巻上機１２２の鉤からフックを外す前に、空いている他のランヤードのフックを足場に固定されている部材に掛けることにより、吊上げした足場で使用する足場用部材を巻上機から外した時に、作業者の把持ができなかった場合でも、足場で使用する足場用部材の落下を防止することができる。特に、巻上機を使用する場合、足場の最上段は、高い所にあるため、落下防止ができることの効果は大きい。
【００５２】
なお、本発明の実施形態は前記実施形態に限定されるものではなく、下記のように変更しても良い。
・前記実施形態では、リング１２を被掛止部としたが、被係止部はリング１２に限定するものではなく、フック状の形状であってもよい。
【００５３】
・各実施形態では、ランヤード１４、１６、１７の長さを同じ長さとしたが、ランヤードの長さは同じでなくてもよい。
・各実施形態では、ロック機構Ｒを設けたが、ロック機構Ｒを省略してもよい。
【００５４】
・各実施形態では、足場で使用する足場用部材として支柱１０４としたが、支柱１０４に限定するものではなく、足場で使用する足場用部材は他の部材であってもよい。
・各実施形態では、足場を構築する場合において、支柱１０４を吊上げることを例として説明したが、足場１００を解体して、足場で使用する足場用部材を下段の足場等に下ろす場合には、逆の手順で行えばよい。
【００５５】
・第２実施形態では、フックを有するランヤードを３つとしたが、４つ以上あってもよい。この場合、フックの掛け替えるところが多い場合に対応することができる。
【符号の説明】
【００５６】
１０…足場用落下防止具、１２…リング（被掛止部）、
１４、１６、１７…ランヤード、１８Ａ、１８Ｂ、１８Ｃ…フック、
２１…フック開口、２２…フック本体、２２ａ…延出部、２２ｂ…湾曲部、
２２ｃ…フック爪、２４…環状部、２６…揺動アーム、２６ａ…係止部、
２７…軸、２８…係合爪、２９…軸、３０…ロック部材、３１…ロックピン、
５０…安全帯、５２…ランヤード、５４…フック部材、
１００…足場、１０２、１０４…支柱、１０４ａ…コマ、１０６…横架材、
１０８、１１０…横架材（手摺）、
１２０…張り出しブラケット、１２２…巻上機、１２４…ロープ、
１２６…鉤、１２８…壁つなぎ材、１３０…建物、Ｒ…ロック機構。
【図１】
2019208626.tif 000003
【図２】
2019208626.tif 000004
【図３】
2019208626.tif 000005
【図４】
2019208626.tif 000006
【図５】
2019208626.tif 000007
【図６】
2019208626.tif 000008
【図７】
2019208626.tif 000009
【図８】
2019208626.tif 000010